(57)【特許請求の範囲】
【請求項１】
便器後部に搭載される基部と、
前記基部に設けられ人体局部に向けて洗浄水を噴出する噴出口を有し、進退可能なノズルと、
前記ノズルを水圧にて移動させるためのシリンダと、を備える人体局部洗浄装置において、
前記ノズルは、前記便器前方にノズル先端面を有し、
前記シリンダは、前記便器前方にシリンダ先端面を有し、
前記基部は、前記便器の便鉢内の空間に対面する基部先端面を有し、
前記ノズルが前記基部内に収納される位置で、前記ノズル先端面と前記シリンダ先端面と前記基部先端面が同一面上に位置し、前記便器後方の下側に向けて傾斜しており、
前記シリンダと前記基部との間で、前記シリンダの後端部に前記シリンダを前方へ押し出すための押し出し部を一体的に設け、
前記シリンダと前記基部のみによって、前記シリンダ先端面と前記基部先端面とが同一面上に位置決めされる
人体局部洗浄装置。
【請求項２】
前記シリンダの前記便器前方位置の一部が前記基部と当接して係合することを特徴とする請求項１に記載の人体局部洗浄装置。
【請求項３】
便器後部に搭載される基部と、
前記基部に設けられ人体局部に向けて洗浄水を噴出する噴出口を有し、進退可能なノズルと、
前記ノズルを水圧にて移動させるためのシリンダと、を備える人体局部洗浄装置において、
前記ノズルは、前記便器前方にノズル先端面を有し、
前記シリンダは、前記便器前方にシリンダ先端面を有し、
前記基部は、前記便器の便鉢内の空間に対面する基部先端面を有し、
前記ノズルが前記基部内に収納される位置で、前記ノズル先端面と前記シリンダ先端面と前記基部先端面が同一面上に位置し、前記便器後方の下側に向けて傾斜しており、
前記シリンダの前記便器前方位置の一部が前記基部と当接して係合し、
前記シリンダと前記基部との間に、前記シリンダを前方へ押し出すための押し出し部を設け、
前記シリンダは固定手段を有し、
前記基部は前記固定手段に係合する係合部を有し、
前記係合部は、前記押し出し部とは独立して前記シリンダに係合し、前記シリンダが前記押し出し部により前記シリンダが前方へ押し出されて前記シリンダの前記便器前方位置の一部が前記基部と当接することによって、前記ノズル先端面と前記シリンダ先端面と前記基部先端面とが同一面上に位置することを許容するように前記シリンダと係合する
人体局部洗浄装置。
【発明の詳細な説明】
【技術分野】
【０００１】
本発明は、洋式便器に搭載されて人体局部を洗浄する人体局部洗浄装置に関する。
【背景技術】
【０００２】
従来技術として、便鉢と上面に形成されて便鉢に連通する凹部と、便鉢と凹部とを連通する連通部と、を有する便器と便鉢の前方に向かって延設された延設部を有する洗浄装置の上カバーと、連通部を貫通して便鉢の内外に進退する洗浄ノズルと、洗浄ノズルが後退するときに連通部を閉じるシャッターと、を備え、延設部は、シャッターの上方を覆うように設けられていることで、男性の小便が洗浄ノズル周辺にかかりにくくしているものがある（例えば、特許文献１参照。）。
【０００３】
また、便器後部に搭載される基部と、前記基部に設けられた人体局部に向けて洗浄水を噴出する噴出口を持ち、駆動モーターを有するノズルと洗浄処理時に前進した前進位置と待機時の後退位置とに前記ノズルを切り替えるノズル作動部を備える。前記基部は、前記便器の便鉢内の空間に対面するとともに前記便器の後部方向に後退した傾斜対面壁と、前記傾斜対面壁に設けられた前記ノズルが出入りするノズル出入り口と、を有し、前記ノズルは、前記傾斜対面壁と平行した先端面を有し、前記先端面は前記後退位置において前記傾斜対面壁と略同一面まで後退する構造である。（例えば、特許文献２参照。）。
【先行技術文献】
【特許文献】
【０００４】
【特許文献１】特開２０１０−１１６７３０号公報
【特許文献２】特開２００８−２４０３６０号公報
【発明の概要】
【発明が解決しようとする課題】
【０００５】
しかしながら、特許文献１の人体局部洗浄装置では、洗浄装置の上カバーをノズル周辺より便鉢前方に向かって延設することで、男性の小便がノズル先端周辺にかかりにくくしているが、凸凹の多い複雑な形状になるため、清掃しにくい問題がある。
【０００６】
特許文献２の人体局部洗浄装置では、ノズル先端周辺の凸凹が少なく清掃が容易で、使用者からノズル先端部が視認しにくく見栄えが良いが、駆動モーターを有するノズルを使用するため高価になる問題がある。
【０００７】
本発明は上記問題点に鑑みて成されたものであり、人体局部洗浄装置において、ノズル先端周辺に洗浄または男性の小便の際に飛散する汚水が付着しにくく、ノズル先端周辺の凸凹が少なく清掃が容易で、使用者からノズル先端部が視認しにくく見栄えが良く、かつ、駆動モーターを有するノズルより安価なノズルを使用できる人体局部洗浄装置を提供することを目的とする。
【課題を解決するための手段】
【０００８】
本発明の第１の課題解決手段は、便器後部に搭載される基部と、前記基部に設けられ人体局部に向けて洗浄水を噴出する噴出口を有し、進退可能なノズルと、前記ノズルを水圧にて移動させるためのシリンダと、を備える人体局部洗浄装置において、前記ノズルは、前記便器前方にノズル先端面を有し、前記シリンダは、前記便器前方にシリンダ先端面を有し、前記基部は、前記便器の便鉢内の空間に対面する基部先端面を有し、前記ノズルが前記基部内に収納される位置で、前記ノズル先端面と前記シリンダ先端面と前記基部先端面が同一面上に位置し、前記便器後方の下側に向けて傾斜しており、前記シリンダと前記基部との間で、前記シリンダの後端部に前記シリンダを前方へ押し出すための押し出し部を一体的に設け、前記シリンダと前記基部のみによって、前記シリンダ先端面と前記基部先端面とが同一面上に位置決めされる構造である。
【０００９】
また、本発明の第２の課題解決手段は、前記シリンダの前記便器前方位置の一部が前記基部と当接して係合する構造である。
【００１０】
また、本発明の第３の課題解決手段は、便器後部に搭載される基部と、前記基部に設けられ人体局部に向けて洗浄水を噴出する噴出口を有し、進退可能なノズルと、前記ノズルを水圧にて移動させるためのシリンダと、を備える人体局部洗浄装置において、前記ノズルは、前記便器前方にノズル先端面を有し、前記シリンダは、前記便器前方にシリンダ先端面を有し、前記基部は、前記便器の便鉢内の空間に対面する基部先端面を有し、前記ノズルが前記基部内に収納される位置で、前記ノズル先端面と前記シリンダ先端面と前記基部先端面が同一面上に位置し、前記便器後方の下側に向けて傾斜しており、前記シリンダの前記便器前方位置の一部が前記基部と当接して係合し、前記シリンダと前記基部との間に、前記シリンダを前方へ押し出すための押し出し部を設け、前記シリンダは固定手段を有し、前記基部は前記固定手段に係合する係合部を有し、前記係合部は、前記押し出し部とは独立して前記シリンダに係合し、前記シリンダが前記押し出し部により前記シリンダが前方へ押し出されて前記シリンダの前記便器前方位置の一部が前記基部と当接することによって、前記ノズル先端面と前記シリンダ先端面と前記基部先端面とが同一面上に位置することを許容するように前記シリンダと係合する構造である。
【発明の効果】
【００１２】
本発明では、ノズルが基部内に収納される位置で、ノズル先端面とシリンダ先端面と基部先端面とが同一面上にあり、かつ、使用者が視認しにくいように便器後方に向けて傾斜しているため、ノズル先端周辺に洗浄または男性の小便の際に飛散する汚水が付着しにくく、使用者がノズル先端周辺を視認しにくく見栄えが良い。また、ノズル先端周辺部に凹凸が少なく簡単に拭き上げることができ、清掃が容易であり、水圧駆動ノズルで構成されるため、モーター駆動ノズルに比較して安価である。
【００１３】
また、ノズルが基部内に収納される位置で、シリンダと基部が当接して係合することにより、シリンダ先端面を位置決めできるため、シリンダ先端面と基部先端面とを同一面上にすることが容易であり、かつ、位置精度が向上する。
【００１４】
また、前記シリンダの後端部と前記基部との間に、前記シリンダを前方へ押し出すための押し出し部を設けられ、前記シリンダを前方へ押し出す構造であり、かつ、シリンダ先端側と基部先端側が常に当接するため、シリンダの前後方向のがたを防止でき、シリンダ先端面と基部先端面を同一面上にするための位置精度がさらに向上する。
【図面の簡単な説明】
【００１５】
【図１】本発明の実施の形態における人体局部洗浄装置の斜視図である。
【図２】本発明の実施の形態の要部を示す断面図である。
【図３】本発明の実施の形態のノズル先端面周辺を示す斜視図である。
【図４】本発明の実施の形態のシリンダと基部が当接して係合した部位を拡大した断面図である。
【図５】本発明の実施の形態のＢ（図２）を拡大した拡大図である。
【図６】本発明の実施の形態のＢ（図２）のリブと基部が当接する前の拡大図である。
【図７】本発明の図４の第一変形例でシリンダと基部が当接して係合した部位の拡大断面図である。
【図８】本発明の図４の第二変形例でシリンダと基部が当接して係合した部位の拡大断面図である。
【図９】本発明の図２の変形例でシリンダ後端部と基部を固定した断面図である。
【発明を実施するための形態】
【００１６】
以下に本発明の実施の形態を図面に基づいて詳細に説明する。
【００１７】
図１は、人体局部洗浄装置１を示す斜視図である。人体局部洗浄装置１は、洋式の便器１００の後部に搭載されるものであり、便器１００に保持され操作盤１３を有する基部１０と、基部１０に上下方向に揺動可能に枢支された便座１４と、基部１０に上下方向に揺動可能に枢支された便蓋１５と、お尻洗浄ノズル３０（ノズル）と、ビデ洗浄ノズル３１（ノズル）と、を備えている。そして、お尻洗浄ノズル３０は、洗浄水を上向きに噴出するお尻洗浄ノズル噴出口４５（噴出口）を備え、ビデ洗浄ノズル３１は、洗浄水を上向きに噴出するビデ洗浄ノズル噴出口４６（噴出口）を備え、さらに、洗浄水を供給する洗浄水供給装置（図示せず）を備える。操作盤１３は、お尻洗浄ノズル３０およびビデ洗浄ノズル３１を基部１０内に収納される位置と洗浄時の便器前方の位置の間を進退させる方向に作動させるノズル作動部１３ａを備えている。なお、ノズルが基部１０内に収納される位置とは、ベースプレート先端面４０と略同一面である基部１０の先端面に、お尻洗浄ノズル先端面４１とビデ洗浄ノズル先端面４２がほぼ重なる位置である。
【００１８】
図２は、本実施の形態における要部を示す断面図である。基部１０はベースプレート１１にカバー部材１２を取り付けたものである。そして、進退可能なお尻洗浄ノズル３０と、お尻洗浄ノズル３０を水圧で駆動させるためのお尻洗浄ノズル用シリンダ３２（シリンダ）を備え、ベースプレート１１（基部）は、その前方に便器１００の便鉢内の空間に対面するベースプレート先端面４０を有する。お尻洗浄ノズル用シリンダ３２は、前方先端部にお尻洗浄ノズル用シリンダ先端面４３（シリンダ先端面）を有している。お尻洗浄ノズル３０は、前方先端部にお尻洗浄ノズル先端面４１（ノズル先端面）を有している。そして、お尻洗浄ノズル先端面４１とお尻洗浄ノズル用シリンダ先端面４３とベースプレート先端面４０は同一面上にある。
【００１９】
お尻洗浄ノズル用シリンダ３２の後端部には、キャップ１６と第１シリンダ用脚１７と第２シリンダ用脚１８を有している。そして、第１シリンダ用脚１７の下端にフック部１９（固定手段）を備え、ベースプレート１１に設けられた固定台２０は、上部の中央に開口部とフック部１９に係合する係合部２０ａを備え、フック部１９と係合部２０ａの係合により固定される。
【００２０】
そして、お尻洗浄ノズル３０が基部であるベースプレート１１とカバー部材１２内に収納される位置において、お尻洗浄ノズル先端面４１とお尻洗浄ノズル用シリンダ先端面４３とベースプレート先端面４０が同一面上にある。お尻洗浄ノズル先端面４１とお尻洗浄ノズル用シリンダ先端面４３とベースプレート先端面４０は、使用者の目線Ａよりも便器後方の下側に向けて傾斜している。その傾斜角度は、水平線に対して傾斜角度αが約３５度である。
【００２１】
図３は、お尻洗浄ノズル先端面４１の周辺部を示す斜視図である。お尻洗浄ノズル先端面４１の周りに円状のお尻洗浄ノズル用シリンダ先端面４３を有している。ビデ洗浄ノズル先端面４２の周りに円状のビデ洗浄ノズル用シリンダ先端面４４を有している。そして、お尻洗浄ノズル先端面４１とお尻洗浄ノズル用シリンダ先端面４３とビデ洗浄ノズル先端面４４とビデ洗浄ノズル用シリンダ先端面４４とベースプレート先端面４０が同一面上にあり、汚れが入り込まないように各先端面間に間隙が少ない。
【００２２】
図４は、お尻洗浄ノズル用シリンダ３２と基部１０の当接して係合している状態の拡大断面図である。お尻洗浄ノズル用シリンダ３２の前方先端側と基部１０であるベースプレート１１は、お尻洗浄ノズル用シリンダ３２の前方の当接部５０で係合している。当接部５０は、お尻洗浄ノズル用シリンダ３２の前方に凸部５３があり、ベースプレート１１の先端方向には、お尻洗浄ノズル用シリンダ３２の凸部５３に勘合する凹部５４を備え、これらが当接して勘合し、お尻洗浄用シリンダ先端面４３とベースプレート先端面４０が同一面上にある。この当接部５０で当接して勘合することにより、お尻洗浄ノズル用シリンダ先端面４３を所望の位置に位置決めできる。
【００２３】
図５は、図２のＢの拡大図である。お尻洗浄ノズル用シリンダ３２の第２シリンダ用脚１８の下端とベースプレート１１に設けられた固定台２０の間に三角リブ２３（押し出し部）が設けられている。第２シリンダ用脚１８の下端部は段状であり、この段状の位置に三角リブ２３が当接している。固定台２０の上面２０ｂと第２シリンダ用脚１８の下面が当接している。そして、三角リブ２３は、変形可能な樹脂成形品であり、お尻洗浄ノズル用シリンダ３２を前方に押し出すように構成されているため、三角リブ２３は前後方向に変形した状態（つぶれた状態）である。
【００２４】
図６は、お尻洗浄ノズル用シリンダ３２と基部１０の当接する前の拡大図である。お尻洗浄ノズル用シリンダ３２の後端に位置する第２シリンダ用脚１８の下面に当接する三角リブ２３は、ベースプレート１１の固定台２０と当接する前の非当接状態で、お尻洗浄ノズル用シリンダ３２を前方に押し出す力がかからないため、変形可能な樹脂成形品である三角リブ２３は変形していない。固定台２０と当接する三角リブ２３の三角リブ当接面２４は、お尻洗浄ノズル用シリンダ３２を前方に押し出す力がかけられるように傾斜している。
【００２５】
つぎに、本発明の実施形態による人体局部洗浄装置１の作用（動作）を説明する。
【００２６】
図１の操作盤１３の操作部１３ａを操作することにより、お尻洗浄ノズル３０が基部であるベースプレート１１とカバー部材１２内の収納される位置から洗浄位置に進出し、お尻洗浄ノズル３０のお尻洗浄ノズル噴出口４５から、洗浄水が噴出し、使用者の「お尻」などを洗浄することができる。ここで、洗浄水は「お尻」などで水跳ねしたり、男性の小便の際に飛散する汚水が、お尻洗浄ノズル３０の先端周辺に付着することがある。この汚れによる異臭の発生を防止するには、定期的な清掃が必要である。お尻洗浄ノズル３０の先端周辺を清掃する場合、その周辺部は、お尻洗浄ノズル先端面４１とお尻洗浄ノズル用シリンダ先端面４３とベースプレート先端面４０で構成され、これらの面が同一面上にあり、凸凹が少なく、拭き掃除による手入れを容易に行うことができる。ビデ洗浄ノズル３１も上記と同様である。
【００２７】
お尻洗浄ノズル用シリンダ３２を組み付ける際には、お尻洗浄ノズル用シリンダ３２の前方とベースプレート１１の前方が当接部５０で当接して勘合することにより、お尻洗浄ノズル用シリンダ３２とお尻洗浄ノズル３０の前後方向のがたを防止し、お尻洗浄ノズル３０の進退がスムーズになる。
【００２８】
図５のお尻洗浄ノズル用シリンダ３２のシリンダ後端部に設けられた三角リブ２３とベースプレート１１の固定台２０とが三角リブ当接部２４で当接し、お尻洗浄ノズル用シリンダ３２を前方へ押し出す力が働き、変形可能な樹脂成形品である三角リブ２３が前後方向に変形して係合している。そして、お尻洗浄ノズル用シリンダ３２の前方が、ベースプレート１１の前方の当接部５０で係合し、かつ、お尻洗浄ノズル用シリンダ３２の第２シリンダ用脚１８と係合し、固定される。
【００２９】
つぎに、本発明の実施形態による人体局部洗浄装置１の効果を説明する。
【００３０】
本発明の人体局部洗浄装置１では、お尻洗浄ノズル３０がベースプレート１１内の収納される位置で、お尻洗浄ノズル先端面４１とお尻洗浄用シリンダ先端面４３とベースプレート先端面４０とが同一面上にあり、かつ、傾斜しており、各先端面間に凸凹が少なく、お尻洗浄ノズル３０の先端周辺に洗浄または男性の小便の際に飛散する汚水が付着しにくく、使用者がお尻洗浄ノズル３０の先端周辺を視認しにくく見栄えが良い。また、お尻洗浄ノズル３０の先端周辺にあるお尻洗浄ノズル先端面４１とお尻洗浄用シリンダ先端面４３とベースプレート先端面４０とが同一面上にあり、かつ、凹凸が少ないため簡単に拭き上げることができ、清掃が容易であり、お尻洗浄ノズル３０を清潔に保つことができる。そして、水圧駆動ノズルを使用できるため、駆動モーターを有するノズルに比較して安価である。
【００３１】
また、お尻洗浄ノズル３０が基部１０内の収納される位置で、お尻洗浄ノズル用シリンダ３２と基部の一部であるベースプレート１１の前方の当接部５０で係合するため、お尻洗浄用シリンダ先端面４３を所望の位置に位置決めできるため、お尻洗浄用シリンダ先端面４３とベースプレート先端面４０を同一面上にすることが容易であり、かつ、位置精度が向上する。
【００３２】
また、お尻洗浄ノズル用シリンダ３２の後端部とベースプレート１１に設けられた固定台２０との間に、お尻洗浄ノズル用シリンダ３２を前方へ押し出すための押し出し部である三角リブ２３が設けられ、お尻洗浄ノズル用シリンダ３２を前方へ押し出す構造であり、かつ、お尻洗浄ノズル用シリンダ３２先端側とベースプレート１１先端側が常に当接するため、お尻洗浄ノズル用シリンダ３２の前後方向のがたを防止でき、お尻洗浄用シリンダ先端面４３とベースプレート先端面４０を同一面上にするための位置精度がさらに向上する。
【００３３】
また、お尻洗浄ノズル用シリンダ３２の後端部と基部１０の固定は、固定台２０の上面にある開口部からフック部１９（固定手段）を上方から着脱可能なため、お尻洗浄ノズル用シリンダ３２の取り付け作業を容易に行うことができる。
【００３４】
本実施の形態におけるお尻洗浄ノズル用シリンダ３２と基部１０の当接して係合している変形例の図７と図８について説明する。
【００３５】
図７はお尻洗浄ノズル用シリンダ３２の先端側と基部１０であるベースプレート１１は、
お尻洗浄ノズル３０の前方先端にある当接部５１で当接して係合している。当接部５１は、お尻洗浄ノズル用シリンダ３２の先端外側が段状の凹部５５を備え、ベースプレート１１は、お尻洗浄ノズル用シリンダ３２の凹部５５に相当する凸部５６を備え、これらが当接して勘合し、お尻洗浄用シリンダ先端面４３とベースプレート先端面４０とお尻洗浄ノズル先端面４１が同一面上にある。この当接部５１で当接して勘合することにより、お尻洗浄ノズル用シリンダ先端面４３を所望の位置に位置決めできる。
【００３６】
図８はお尻洗浄ノズル用シリンダ３２の先端側と基部１０であるベースプレート１１は、お尻洗浄ノズル３０の先端側の当接部５２で係合している。ベースプレート１１は、先端側にお尻洗浄ノズル用シリンダ３２と平行で後方部に向けて延びた係合部５７を備え、お尻洗浄ノズル用シリンダ３２には、係合部５７にかみ合って係合させるための係合部５８が設けられており、これらが当接して勘合することにより、お尻洗浄用シリンダ先端面４３とベースプレート先端面４０が同一面上にある。この当接部５２で当接して勘合することにより、お尻洗浄ノズル用シリンダ先端面４３を所望の位置に位置決めできる。
【００３７】
本実施の形態におけるお尻洗浄ノズル用シリンダ３２後端部と基部１０を固定した変形例の図９について説明する。
【００３８】
図９はお尻洗浄ノズル用シリンダ３２の第１シリンダ用脚１７とベースプレート１１の後部に設けられたボス２１が、ねじ締め部２２でねじ締めされて固定されている。このねじ締め部２２はボス２１の上部にねじ山を備えるため、上方からねじの着脱を行うことができるため、お尻洗浄ノズル用シリンダ３２の取り付け作業が容易である。
【００３９】
なお、上記した本発明は、お尻洗浄ノズル３０やお尻洗浄ノズル用シリンダ３２等のお尻洗浄のためのノズルを構成する部材のみならずビデ洗浄ノズル３１やビデ洗浄ノズル用シリンダ３３等のビデ洗浄のためのノズルを構成する部材に関しても適用することが可能である。
【符号の説明】
【００４０】
１  人体局部洗浄装置
１０  基部
１１  ベースプレート（基部）
１２  カバー部材（基部）
１７  第１シリンダ用脚
１８  第２シリンダ用脚
１９  フック部（固定手段）
２０  固定台
２１  ボス
２２  ねじ締め部（固定手段）
２３  三角リブ（押し出し部）
２４  三角リブ当接面
３０  お尻洗浄ノズル（ノズル）
３１  ビデ洗浄ノズル（ノズル）
３２  お尻洗浄ノズル用シリンダ（シリンダ）
３３  ビデ洗浄ノズル用シリンダ（シリンダ）
４０  ベースプレート先端面（基部先端面）
４１  お尻洗浄ノズル先端面（ノズル先端面）
４２  ビデ洗浄ノズル先端面（ノズル先端面）
４３  お尻洗浄ノズル用シリンダ先端面（シリンダ先端面）
４４  ビデ洗浄ノズル用シリンダ先端面（シリンダ先端面）
４５  お尻洗浄ノズル噴出口（噴出口）
４６  ビデ洗浄ノズル噴出口（噴出口）
１００  便器
【図１】
0006035720.tif 000002
【図２】
0006035720.tif 000003
【図３】
0006035720.tif 000004
【図４】
0006035720.tif 000005
【図５】
0006035720.tif 000006
【図６】
0006035720.tif 000007
【図７】
0006035720.tif 000008
【図８】
0006035720.tif 000009
【図９】
0006035720.tif 000010